(57)【特許請求の範囲】
【請求項１】
開口を開閉する戸板の戸先側端部に出没自在に設けられたラッチ部を受けるラッチ受であって、
閉状態とされた前記戸板の突出するラッチ部に押圧される被押圧部と、この被押圧部の押圧に伴い開口幅方向中心側に向けて突出し、前記ラッチ部の戸板開放側への移動を阻止する係止部と、を備え、かつ、前記開口を区画する開口幅方向一方側の内側面に沿うように固定される構成とされていることを特徴とするラッチ受。
【請求項２】
請求項１において、
前記係止部は、前記被押圧部に対する前記ラッチ部の押圧解除がなされれば、該ラッチ部の戸板開放側への移動を許容するように没入する構成とされていることを特徴とするラッチ受。
【請求項３】
請求項１または２において、
前記開口の内側面に沿うように固定されるベース部材と、このベース部材に上下方向に沿う軸廻りに回転自在に保持され、一端側が前記被押圧部とされた第１回転部材と、前記ベース部材に上下方向に沿う軸廻りに回転自在に保持され、一端側が前記第１回転部材の他端側に押し出されるようにして突出する前記係止部とされた第２回転部材と、を備えていることを特徴とするラッチ受。
【発明の詳細な説明】
【技術分野】
【０００１】
本発明は、戸板のラッチを受けるラッチ受に関する。
【背景技術】
【０００２】
従来より、開口を開閉する戸板の戸先側端部から突出するラッチを受けるラッチ受（ストライク）が知られている。このようなラッチ受は、縦枠に設けられた掘込穴に埋め込まれるように設けられ、突出したラッチを受け入れる凹所を区画する構成とされている（例えば、下記特許文献１参照）。
【先行技術文献】
【特許文献】
【０００３】
【特許文献１】特開平７−１１８１８号公報
【発明の概要】
【発明が解決しようとする課題】
【０００４】
しかしながら、上記のような構成とされたラッチ受は、取付対象に掘込穴を設ける必要があった。また、模様替えや改装等のために戸板を交換等する場合に、戸板のラッチ位置が異なれば、施工現場において新たに掘込穴を設ける必要が生じることも考えられ、更なる改善が望まれる。
【０００５】
本発明は、上記実情に鑑みてなされたものであり、取付対象側の構成を簡略化し得るラッチ受を提供することを目的としている。
【課題を解決するための手段】
【０００６】
上記目的を達成するために、本発明に係るラッチ受は、開口を開閉する戸板の戸先側端部に出没自在に設けられたラッチ部を受けるラッチ受であって、閉状態とされた前記戸板の突出するラッチ部に押圧される被押圧部と、この被押圧部の押圧に伴い開口幅方向中心側に向けて突出し、前記ラッチ部の戸板開放側への移動を阻止する係止部と、を備え、かつ、前記開口を区画する開口幅方向一方側の内側面に沿うように固定される構成とされていることを特徴とする。
【発明の効果】
【０００７】
本発明に係るラッチ受は、上述のような構成としたことで、取付対象側の構成を簡略化することができる。
【図面の簡単な説明】
【０００８】
【図１】本発明の一実施形態に係るラッチ受の一例を模式的に示し、図３（ｂ）に対応させた一部破断概略拡大横断面図である。
【図２】（ａ）〜（ｃ）は、いずれも図１に対応させた一部破断概略横断面図である。
【図３】（ａ）は、同ラッチ受を施工した状態を模式的に示す一部破断概略正面図、（ｂ）は、（ａ）におけるＸ−Ｘ線矢視に対応させた一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、ラッチ受を施工した状態を基準として上下方向等の方向を説明する。
【００１０】
図１〜図３は、本実施形態に係るラッチ受の一例を模式的に示す図である。
本実施形態に係るラッチ受１は、図３に示すように、開口２を開閉する戸板６の戸先側端部に出没自在に設けられたラッチ部９ａを受ける構成とされている。このラッチ受１は、開口２を区画する開口幅方向一方側の内側面４ａに沿うように固定される構成とされている。
図例では、開口２を、住居等の建物の壁体を貫通するように設けられた出入口とした例を示している。また、この開口２を開閉する戸板６を、戸尻側端部が上下方向に沿う軸廻りに回転自在に取付対象に保持される開き戸とした例を示している。また、図例では、この戸板６及びラッチ受１の取付対象を戸枠としている。つまり、戸板６を戸枠に建て付けた例を示している。なお、当該ラッチ受１を、戸枠とによって枠装置を構成するものとして把握したり、戸板６とによって戸装置を構成するものとして把握したりしてもよい。
【００１１】
戸枠は、上枠３と戸先側縦枠４と戸尻側縦枠５とを備え、開口２を区画する構成とされている。なお、図例では、下枠（沓摺）を備えていない戸枠を例示しているが、下枠を備えたものとしてもよい。
この戸枠の戸先側縦枠４の内側面（見込面）４ａが、開口２を区画する開口幅方向一方側の内側面を構成し、この内側面４ａに沿うようにラッチ受１が固定される。この戸先側縦枠４の内側面４ａは、掘込穴等が設けられていない平坦面状とされたものとしてもよい。
また、この戸先側縦枠４の内側面４ａの見込方向（壁厚方向に沿う方向）略中央部位には、戸板６の更なる閉鎖側への移動を規制する戸当り４ｂが設けられている。なお、上枠３及び戸尻側縦枠５の内側面にも同様な戸当りが設けられている。
また、この戸枠の戸尻側縦枠５に、戸板６を上下方向に沿う軸廻りに回転自在に連結する蝶番等の連結部材７を固定した例を示している。
【００１２】
戸板６は、略矩形平板状とされている。この戸板６は、戸尻側縦枠５の戸当りよりも壁厚方向一方側に固定され、閉状態で、壁厚方向他方側に向く面（背面）が、各枠３，４，５の戸当り（４ｂ）の壁厚方向一方側面に近接または当接される。
また、戸板６の戸先側端部には、ラッチ部（ラッチヘッド）９ａを有したラッチ錠９が埋込状に設けられている。また、戸板６の戸先側端部の戸厚方向両側には、このラッチ部９ａを没入させる操作部としてのレバー状のハンドル８，８が設けられている。
【００１３】
ラッチ錠９は、ハンドル８の操作を伴いラッチ部９ａを戸先側端面から出没させる構成とされている。
ラッチ部９ａは、戸板６の閉状態における壁厚方向一方側（反戸当り側）に向く面が戸板６の戸厚方向両面に対して略平行な平坦面状の係止面とされている。また、ラッチ部９ａは、戸板６の閉状態における壁厚方向他方側（戸当り４ｂ側）に向く面が戸板６の幅方向外方側に向かうに従い係止面側に傾斜または湾曲したガイド面（滑り面）とされている。
このラッチ部９ａは、ハンドル８が開錠方向に回転されたり、没入方向への外力等が作用すれば没入する構成とされ、戸板６の戸先側端面から突出しないように全体がラッチ錠９のラッチケースに没入可能とされている。一方、ラッチ部９ａは、開錠方向に回転されたハンドル８が施錠状態とされれば、戸板６の戸先側端面から突出する構成とされている。
また、ラッチ錠９には、ラッチ部９ａを突出方向に付勢するばね等の付勢部材が設けられている。
【００１４】
ラッチ受１は、図１及び図３に示すように、閉状態とされた戸板６の戸先側端面と戸先側縦枠４の内側面４ａとの間に納まるように配設される構成とされている。つまり、このラッチ受１は、開口幅方向に比較的に薄型とされている。
このラッチ受１は、閉状態とされた戸板６の突出するラッチ部９ａに押圧される被押圧部１８ｂと、この被押圧部１８ｂの押圧に伴い開口幅方向中心側に向けて突出し、ラッチ部９ａの戸板開放側への移動を阻止する係止部１９ｂと、を備えている。
また、本実施形態では、被押圧部１８ｂに対するラッチ部９ａの押圧解除がなされれば、ラッチ部９ａの戸板開放側への移動を許容するように係止部１９ｂが没入する構成としている。
【００１５】
また、本実施形態では、ラッチ受１を、開口２の内側面４ａに沿うように固定されるベース部材１０を備えた構成としている。また、このベース部材１０に、被押圧部１８ｂを有した第１回転部材１８と係止部１９ｂを有した第２回転部材１９とを軸１４，１６廻りに回転自在に設けた構成としている。これら第１回転部材１８及び第２回転部材１９の回転中心となる軸１４，１６は、回転を伴い開閉される戸板６の回転軸に略平行状に設けられている。
また、本実施形態では、ラッチ受１に、ラッチ部９ａによる押圧の解除がなされた被押圧部１８ｂを非押圧状態に復帰させ、係止部１９ｂを没入状態に復帰させる付勢部材１５，１７を設けた構成としている。本実施形態では、付勢部材１５，１７として、被押圧部１８ｂが非押圧状態となるように第１回転部材１８を付勢する第１付勢部材１５と、係止部１９ｂが没入状態となるように第２回転部材１９を付勢する第２付勢部材１７と、を設けた構成としている。
【００１６】
ベース部材１０は、図１及び図２に示すように、厚さ方向を開口幅方向に沿わせた薄型形状とされており、厚さ方向一方側を戸先側縦枠４の内側面４ａに当接させてねじ等の止具によって戸先側縦枠４の内側面４ａに沿うように固定される。
また、このベース部材１０は、係止部１９ｂによって閉状態とされた戸板６のラッチ部９ａの戸板開放側への移動の阻止が可能なように、戸先側縦枠４の戸当り４ｂよりも戸板開放側となる壁厚方向一方側に固定される。つまり、ベース部材１０は、閉状態とされた戸板６のラッチ部９ａに被押圧部１８ｂが押圧されて突出した係止部１９ｂがラッチ部９ａの係止面に近接または当接する位置となるように戸先側縦枠４に固定される。
【００１７】
また、このベース部材１０は、突出状態のラッチ部９ａの戸先側縦枠４への接触を防止するように、壁厚方向一方側（反戸当り側）の端部にラッチ部９ａが当接される構成とされている。つまり、ハンドル８を操作することなく戸板６を閉鎖側へ移動させれば、突出状態のラッチ部９ａのガイド面がベース部材１０の壁厚方向一方側の端部に当接し、ガイド面のガイド作用によってラッチ部９ａが没入する（図２（ｃ）、（ｂ）参照）。
図例では、ベース部材１０を、壁厚方向一方側の端部が戸先側縦枠４の壁厚方向一方側の端面から壁厚方向に僅かに突出するように戸先側縦枠４に固定した例を示している。また、このベース部材１０の壁厚方向一方側の端部の開口幅方向中心側縁部を、凸湾曲面形状とした例を示している。なお、このベース部材１０の壁厚方向一方側の端部に、戸先側縦枠４の壁厚方向一方側の端面（見付面）を覆うように折曲状とされた片部を設けた構成としてもよい。
【００１８】
また、ベース部材１０には、第１回転部材１８及び第２回転部材１９を収容する収容凹所１１が設けられている。この収容凹所１１は、開口幅方向中心側に向けて開口するように設けられている。
また、ベース部材１０には、第１付勢部材１５によって付勢される第１回転部材１８の一端側の開口幅方向中心側への移動を規制する第１規制片部１２が設けられている。図例では、収容凹所１１の戸当り４ｂ側の開口縁から反戸当り側に向けて突出させるように第１規制片部１２を設けた例を示している。
また、ベース部材１０には、第２付勢部材１７によって付勢される第２回転部材１９の他端側の開口幅方向中心側への移動を規制する第２規制片部１３が設けられている。図例では、収容凹所１１の反戸当り側の開口縁から戸当り４ｂ側に向けて突出させるように第２規制片部１３を設けた例を示している。
【００１９】
第１回転部材１８は、戸板６の回転軸に略平行状となる上下方向に沿う軸としての第１回転軸１４廻りに回転自在にベース部材１０に対して保持され、一端側が被押圧部１８ｂとされている。
第２回転部材１９は、戸板６の回転軸に略平行状となる上下方向に沿う軸としての第２回転軸１６廻りに回転自在にベース部材１０に対して保持され、一端側が第１回転部材１８の他端側に押し出されるようにして突出する係止部１９ｂとされている。つまり、第２回転部材１９の少なくとも一端側は、第１回転部材１８の少なくとも他端側よりも開口幅方向中心側に位置するように配されている。また、第２回転部材１９の係止部１９ｂは、第１回転部材１８の被押圧部１８ｂよりも壁厚方向一方側（反戸当り側）に位置するように配されている。
また、本実施形態では、これら第１回転部材１８及び第２回転部材１９を、被押圧部１８ｂがラッチ部９ａに押圧解除された状態（押圧されていない状態（押圧解除状態））で、開口幅方向に厚さ方向を沿わせた略平板状としている。また、これら第１回転部材１８と第２回転部材１９とを、互いの一部を重ね合わせるようにベース部材１０に設けた構成としている。
【００２０】
第１回転部材１８は、第１回転軸１４よりも一端側（戸当り４ｂ側）となる一端側部位１８ａに被押圧部１８ｂを設けた構成とされ、第１回転軸１４よりも他端側（反戸当り側）となる他端側部位１８ｃが第２回転部材１９に当接される構成とされている。この第１回転部材１８は、被押圧部１８ｂがラッチ部９ａに押圧されれば、一端側部位１８ａ側が押圧解除状態よりも内側面４ａ側に押し込まれ、かつ他端側部位１８ｃ側が押圧解除状態よりも開口幅方向中心側に移動するように、第１回転軸１４廻りに回転する。
本実施形態では、第１回転部材１８の一端側部位１８ａの押圧解除状態における壁厚方向に沿う寸法（幅寸法）よりも他端側部位１８ｃの押圧解除状態における壁厚方向に沿う寸法（幅寸法）を大としている。図例では、他端側部位１８ｃの幅寸法を、一端側部位１８ａの幅寸法の１．４倍程度とした例を示している。
なお、第１回転軸１４は、第１回転部材１８側に設けられたものでもよく、ベース部材１０側に設けられたものでもよい。また、この第１回転軸１４が設けられてない側には、適宜の軸受部を設けるようにしてもよい。
【００２１】
また、本実施形態では、この第１回転部材１８に、第２回転部材１９の第２回転軸１６よりも一端側（戸当り４ｂ側）となる一端側部位１９ａを受け入れる凹段部を設けた構成としている。この凹段部は、反戸当り側及び開口幅方向中心側に向けて開口するように切欠状に設けられており、第１回転部材１８の他端側部位１８ｃの全体と一端側部位１８ａの他端側の一部とに亘って設けられている。また、この凹段部は、第２回転部材１９の一端側部位１９ａを受け入れた状態で、当該凹段部が設けられていない一端側部位１８ａの開口幅方向中心側に向く面と第２回転部材１９の開口幅方向中心側に向く面とが略同一平面（面一）状となるように設けられている。
【００２２】
また、本実施形態では、この凹段部が設けられていない部位となる一端側部位１８ａの凸段部の他端側の部位を被押圧部１８ｂとしている。つまりは、第１回転軸１４から被押圧部１８ｂまでの幅寸法を、他端側部位１８ｃの幅寸法よりも小とし、被押圧部１８ｂを、比較的に第１回転軸１４に近接した位置に設けている。このような構成とすれば、被押圧部１８ｂの押し込みに伴う他端側部位１８ｃ側の開口幅方向中心側への変位量を効果的に大きくすることができる。換言すれば、比較的に小さい被押圧部１８ｂの押し込み量で他端側部位１８ｃ側の開口幅方向中心側への変位量を確保することができる。この第１回転軸１４から被押圧部１８ｂまでの幅寸法は、他端側部位１８ｃの幅寸法の１／２〜１／５０程度としてもよく、図例では、１／６程度とした例を示している。
【００２３】
上記したベース部材１０の第１規制片部１２は、この第１回転部材１８の被押圧部１８ｂが収容凹所１１の開口側において露出するように比較的に小さい突出寸法とされている。
また、本実施形態では、この第１回転部材１８の他端側部位１８ｃにおける反戸当り側（反第１回転軸側）の端部によって第２回転部材１９の一端側を押し出す構成としている。
また、ラッチ部９ａによって被押圧部１８ｂが押圧されて押し込まれた一端側部位１８ａの内側面４ａ側への更なる移動は、ベース部材１０の収容凹所１１の開口幅方向中心側に向く底面等によって規制するようにしてもよく、適宜の規制部を設けるようにしてもよい。図例では、ベース部材１０の収容凹所１１の底面と一端側部位１８ａの戸当り４ｂ側の端部との間に設けられた後記する第１付勢部材１５によって一端側部位１８ａの内側面４ａ側への更なる移動を規制する態様とした例を示している。
【００２４】
この第１回転部材１８の被押圧部１８ｂが非押圧状態となるように第１回転部材１８を付勢する第１付勢部材１５は、図例では、一端側部位１８ａの戸当り４ｂ側の端部を開口幅方向中心側に向けて押すように付勢する構成とされている。この第１付勢部材１５の付勢力は、ラッチ部９ａによる被押圧部１８ｂの押し込みが可能なように、ラッチ部９ａを突出方向に付勢する付勢部材の付勢力よりも小とされている。
このような第１付勢部材１５としては、ベース部材１０の収容凹所１１の底面と一端側部位１８ａの戸当り４ｂ側の端部との間に設けられた圧縮コイルばねや板ばね等としてもよい。なお、第１付勢部材１５としては、このような態様に限られず、第１回転軸１４廻りに設けられたトーションばねや、他端側部位１８ｃを内側面４ａ側に向けて引っ張るように付勢する引張ばね等としてもよい。
【００２５】
第２回転部材１９は、第２回転軸１６よりも一端側（戸当り４ｂ側）となる一端側部位１９ａに係止部１９ｂを設けた構成とされている。この第２回転部材１９は、第１回転部材１８の被押圧部１８ｂがラッチ部９ａに押圧されれば、一端側部位１９ａの係止部１９ｂが開口幅方向中心側に向けて突出するように第２回転軸１６廻りに回転する。つまり、第１回転部材１８の他端側部位１８ｃに押し出されるようにして係止部１９ｂが突出する。また、この際、第２回転部材１９は、第２回転軸１６よりも他端側（反戸当り側）となる他端側部位１９ｃが内側面４ａ側に移動するように、第２回転軸１６廻りに回転する。
本実施形態では、第２回転部材１９の一端側部位１９ａの押圧解除状態における壁厚方向に沿う寸法（幅寸法）よりも他端側部位１９ｃの押圧解除状態における壁厚方向に沿う寸法（幅寸法）を小としている。図例では、一端側部位１９ａの幅寸法を、他端側部位１９ｃの幅寸法の２．３倍程度とした例を示している。
【００２６】
また、本実施形態では、この第２回転部材１９を、第１回転部材１８の凹段部に応じた厚さとされたものとし、全体に亘って略一様な厚さとしている。
第２回転軸１６は、第１回転軸１４よりも反戸当り側に設けられている。また、本実施形態では、第２回転軸１６を、第１回転軸１４よりも開口幅方向中心側に設けた構成としている。なお、このような態様に代えて、第２回転部材１９の一端側部位１９ａの内側面４ａ側に第１回転部材１８の他端側部位１８ｃ等を受け入れる凹段部等を設け、第２回転軸１６と第１回転軸１４とを開口幅方向で一致した位置となるように設けた態様等としてもよい。
また、第２回転軸１６は、上記同様、第２回転部材１９側に設けられたものでもよく、ベース部材１０側に設けられたものでもよい。また、この第２回転軸１６が設けられてない側には、適宜の軸受部を設けるようにしてもよい。
【００２７】
また、本実施形態では、この第２回転部材１９の一端側部位１９ａにおける戸当り４ｂ側（反第２回転軸側）の端部を、係止部１９ｂとしている。つまりは、押圧解除状態では、この第２回転部材１９の係止部１９ｂと第１回転部材１８の被押圧部１８ｂとが壁厚方向に隣り合い、これらの開口幅方向中心側に向く面が略同一平面（面一）状となる。このような構成とすれば、閉鎖側及び開放側へ移動する戸板６のラッチ部９ａを円滑に移動させることができる。なお、このような態様に代えて、押圧解除状態で第２回転部材１９と第１回転部材１８との重ね合わせ部位に段差が形成される態様等としてもよい。
また、この第２回転部材１９の一端側部位１９ａは、第１回転部材１８の他端側部位１８ｃに押し出された状態で、第２回転軸１６から係止部１９ｂ側に向かうに従い開口幅方向中心側に位置するように斜め状に配される構成とされている。
このように係止部１９ｂが開口幅方向中心側に突出した状態、つまり、ラッチ部９ａによって被押圧部１８ｂが内側面４ａ側に押し込まれた状態における被押圧部１８ｂから係止部１９ｂまでの開口幅方向に概ね沿う寸法がラッチ部９ａの掛かり代となる。
【００２８】
また、本実施形態では、第２回転部材１９の一端側部位１９ａの比較的に第２回転軸１６に近接した位置を、第１回転部材１８の他端側部位１８ｃの端部が当接される部位（作用部位）としている。つまりは、第２回転軸１６から作用部位までの幅寸法を、作用部位から係止部１９ｂまでの幅寸法よりも小としている。このような構成とすれば、第１回転部材１８の他端側部位１８ｃによって押し出される第２回転部材１９の係止部１９ｂの開口幅方向中心側への変位量を効果的に大きくすることができる。換言すれば、比較的に小さい第１回転部材１８の他端側部位１８ｃの開口幅方向中心側への変位量で、第２回転部材１９の係止部１９ｂの開口幅方向中心側への変位量を確保することができる。
この第２回転軸１６から作用部位までの幅寸法は、作用部位から係止部１９ｂまでの幅寸法の１／２〜１／５０程度としてもよく、図例では、１／２０程度とした例を示している。
上記したベース部材１０の第２規制片部１３は、この第２回転部材１９の他端側部位１９ｃの開口幅方向中心側に向く面の概ね全体を覆うような突出寸法とされている。このような構成とすれば、ラッチ部９ａに第２回転部材１９の他端側部位１９ｃが押圧されるようなことを抑制することができる。
【００２９】
この第２回転部材１９の係止部１９ｂが没入状態となるように第２回転部材１９を付勢する第２付勢部材１７は、図例では、他端側部位１９ｃの反戸当り側の端部を開口幅方向中心側に向けて押すように付勢する構成とされている。この第２付勢部材１７の付勢力は、ラッチ部９ａによる被押圧部１８ｂの押し込みに伴う当該第２回転部材１９の回転を許容するように適宜の付勢力とされている。
このような第２付勢部材１７としては、上記同様、ベース部材１０の収容凹所１１の底面と他端側部位１９ｃの反戸当り側の端部との間に設けられた圧縮コイルばねや板ばね等としてもよい。なお、第２付勢部材１７としては、このような態様に限られず、上記同様、第２回転軸１６廻りに設けられたトーションばねや、一端側部位１９ａを内側面４ａ側に向けて引っ張るように付勢する引張ばね等としてもよい。また、第１付勢部材１５を設けずに、第２付勢部材１７のみを設けた構成としてもよい。
【００３０】
上記構成とされたラッチ受１においては、図１に示すように、閉状態の戸板６のラッチ部９ａによる被押圧部１８ｂの押圧によって係止部１９ｂが突出し、ラッチ部９ａの戸板開放側への移動が阻止される。また、図２（ａ）に示すように、ハンドル８を操作してラッチ部９ａを没入させれば、付勢部材１５，１７によって被押圧部１８ｂが非押圧状態となり、係止部１９ｂが没入状態となり、戸板６の開放が可能となる（図２（ｂ）、（ｃ）参照）。また、開放状態の戸板６を閉鎖側へ移動させ、上述のように没入されたラッチ部９ａが被押圧部１８ｂに至り、突出すれば、被押圧部１８ｂが押圧され、上記同様、係止部１９ｂが突出し、ラッチ部９ａの戸板開放側への移動が阻止される（図２（ｂ）、（ａ）参照）。
なお、当該ラッチ受１は、硬質の合成樹脂系材料や金属系材料から形成されたものとしてもよい。
【００３１】
本実施形態に係るラッチ受１は、上述のような構成としたことで、取付対象側の構成を簡略化することができる。
つまり、閉状態とされた戸板６の突出するラッチ部９ａに押圧される被押圧部１８ｂと、この被押圧部１８ｂの押圧に伴い開口幅方向中心側に向けて突出し、ラッチ部９ａの戸板開放側への移動を阻止する係止部１９ｂと、を備えた構成としている。従って、当該ラッチ受１によって閉状態とされた戸板６の開放側への移動を阻止することができる。また、上述のように、ラッチ部９ａに押圧される被押圧部１８ｂの押込（没入）寸法と係止部１９ｂの突出寸法とによってラッチ部９ａの掛かり代を確保することができる。これにより、例えば、ばね等によって突出方向に付勢された係止部をラッチ部９ａが乗り越え、係止するような態様としたものと比べて、ラッチ部９ａの掛かり代を効果的に大きくすることができる。
【００３２】
また、当該ラッチ受１を、開口２を区画する開口幅方向一方側の内側面４ａに沿うように固定される構成としている。従って、取付対象に掘込穴を設けることなくラッチ受１を取り付けることができ、取付対象側の構成の簡略化を図ることができる。つまり、従来のようなラッチ部９ａを受け入れる凹所を区画する構成に代えて、突出してラッチ部９ａに係止する係止部１９ｂを備えた構成としているので、凹所を構成するための掘込穴を取付対象に設ける必要がなく、取付対象側の構成の簡略化を図ることができる。
【００３３】
また、本実施形態では、被押圧部１８ｂに対するラッチ部９ａの押圧解除がなされれば、ラッチ部９ａの戸板開放側への移動を許容するように係止部１９ｂが没入する構成としている。従って、上述のように、戸板６を開放させるべく、ハンドル８等の操作部の操作がなされ、ラッチ部９ａが没入すれば、被押圧部１８ｂに対するラッチ部９ａの押圧解除がなされ、係止部１９ｂが没入し、戸板６を開放させることができる。これにより、戸板６を開放させた状態で、係止部１９ｂが突出した状態とならず、出入する際等における係止部１９ｂへの引っ掛かり等を抑制することができる。なお、このような態様に代えて、戸板６を開放させた後に、手動等によって係止部１９ｂを没入させる必要があるような態様等としてもよい。
【００３４】
また、本実施形態では、開口２の内側面４ａに沿うように固定されるベース部材１０に上下方向に沿う軸１４廻りに回転自在に保持された第１回転部材１８の一端側を被押圧部１８ｂとしている。また、ベース部材１０に上下方向に沿う軸１６廻りに回転自在に保持された第２回転部材１９の一端側を、第１回転部材１８の他端側に押し出されるようにして突出する係止部１９ｂとしている。従って、例えば、開口幅方向に進退するスライド部材やピストン等によって被押圧部１８ｂや係止部１９ｂを構成したり、リンク機構や歯車機構等によって被押圧部１８ｂや係止部１９ｂを機能させる構成としたものと比べて、構造の簡略化を図ることができる。また、第１回転部材１８及び第２回転部材１９をそれぞれに軸１４，１６廻りに回転自在としているので、これらを梃子状に機能させることができ、ラッチ受１の開口幅方向の薄型化を図りながらも係止部１９ｂの突出寸法を大きくすることができる。
【００３５】
なお、上記した例では、第１回転部材１８及び第２回転部材１９をそれぞれ略平板状とした例を示しているが、例えば、係止部１９ｂを鉤状に屈曲させた部位等としたりしてもよく、種々の変形が可能である。
また、上記のように第１回転部材１８及び第２回転部材１９を回転自在とした態様に代えて、例えば、被押圧部１８ｂを有した部材及び係止部１９ｂを有した部材のうちの一方を回転自在とし、他方を開口幅方向にスライド自在としたような態様としてもよい。また、被押圧部１８ｂを有した部材及び係止部１９ｂを有した部材を別部材からなるものとした態様に代えて、適宜、変形することで、単一部材からなるものとしてもよい。また、上記のような押圧に伴い梃子状（シーソー状）に部材が回転し、係止部１９ｂが突出するような態様とされたものに限られない。例えば、適宜の流体をそれぞれに封入した２つのピストンを連通させ、一方が押し込まれれば他方が突出するような態様とされたものとしてもよい。または、適宜のリンク機構や歯車機構等によって被押圧部１８ｂ及び係止部１９ｂが機能するような態様等としてもよい。その他、閉状態とされた戸板６の突出するラッチ部９ａによって押圧される被押圧部１８ｂ及びこれの押圧に伴い開口幅方向中心側に向けて突出し、ラッチ部９ａの戸板開放側への移動を阻止する係止部１９ｂとしては、種々の態様とされたものの採用が可能である。
【００３６】
また、本実施形態では、戸板６を開き戸とした例を示しているが、このような態様に限られず、二枚の戸板を折り畳み展開自在に連結した折戸の戸先側の戸板等としてもよい。
また、ラッチ受１の取付対象としては、縦枠４の内側面４ａに限られず、例えば、クロス仕上とされた開口の内側面４ａとしてもよい。また、ラッチ受１の取付対象としては、出入口として壁体に設けられた開口２の内側面４ａに限られず、収納家具等の収納空間の開口２の内側面４ａ等としてもよい。この場合、水平軸廻りに戸板６が回転されて開閉される態様等としてもよい。このような場合には、上記した第１回転軸１４及び第２回転軸１６を、戸板６の回転軸に略平行状、つまりは、水平方向に沿う軸とすればよい。
また、ラッチ受１の取付対象としては、平坦面状とされた内側面４ａに限られず、例えば、既設の縦枠の内側面４ａに設けられた掘込穴を覆うようにラッチ受１を取り付ける態様等としてもよい。
【符号の説明】
【００３７】
１      ラッチ受
１０    ベース部材
１４    第１回転軸（上下方向に沿う軸）
１６    第２回転軸（上下方向に沿う軸）
１８    第１回転部材
１８ｂ  被押圧部
１９    第２回転部材
１９ｂ  係止部
２      開口
４ａ    内側面
６      戸板
９ａ    ラッチ部
【図１】
0006418389.tif 000002
【図２】
0006418389.tif 000003
【図３】
0006418389.tif 000004